(57)【要約】  本発明は、印刷システムと、処理済み受取媒体を折り畳むための折畳みモジュールとに関する。本発明は、印刷システム及び折畳みモジュールの組み合わせや、印刷システムを変更する方法にも関する。
2010540376.tif 000002
【特許請求の範囲】
【請求項１】
受取媒体の少なくとも１つのロールを格納するための媒体格納部と、
前記受取媒体の一部を処理するための印刷ステーションと、
前記受取媒体を受け取るための受取ステーションと、
前記印刷システムを支持表面の上で支持するためのベース部材と、
処理済み受取媒体を折り畳むための折畳みモジュールを収容するための収容手段とを含み、前記折畳みモジュールを収容するための前記収容手段は、前記支持表面の上の前記媒体格納部及び前記印刷ステーションの累積標準投影によって定められる地域から延びる容積内に実質的に位置付けられ、前記容積は、前記印刷ステーションの方向に前記支持表面に対して垂直に延びる、
印刷システムであって、
処理済み媒体を前記受取ステーション及び前記折畳みモジュールの一方に選択的に案内するための手段をさらに含む。
印刷システム。
【請求項２】
処理済み受取媒体を折り畳むための折畳みモジュールであって、
請求項１に記載の印刷システムの前記収容手段と協働するために、当該折畳みモジュールの円周に位置付けられる協働手段を含み、
前記処理済み受取媒体を折り畳むための折畳み手段をさらに含む、
折畳みモジュール。
【請求項３】
媒体を前記折畳み手段に送るための媒体送り手段をさらに含む、請求項２に記載の折畳みモジュール。
【請求項４】
前記媒体送り手段は、動作状態において媒体歪みを矯正し得る、請求項３に記載の折畳みモジュール。
【請求項５】
前記折畳み手段は、回転可能な折畳みシリンダと、第一及び第二の折畳みピンチをそれぞれ形成するよう前記折畳みシリンダと各々係合し得る、第一及び第二の回転可能な押圧部材と、前記媒体を前記第一及び第二の折畳みピンチの間で前記折畳みシリンダに向かって送るための媒体送り手段とを含み、駆動手段を制御可能に駆動し、折畳みプログラム中に動作状態にある前記回転可能な折畳みシリンダの回転方向を変更し、且つ、折畳みプログラム中に前記折畳みシリンダに向かって前記媒体を送るために前記媒体送り手段を制御可能に駆動し得る制御手段をさらに含む、請求項２乃至４のうちのいずれか１項に記載の折畳みモジュール。
【請求項６】
前記媒体送り手段は、前記折畳みシリンダに近接近して位置付けられる、請求項５に記載の折畳みモジュール。
【請求項７】
折り畳まれた処理済み媒体を排出するための出力手段をさらに含む、請求項２乃至６のうちのいずれか１項に記載の折畳みモジュール。
【請求項８】
受取媒体の少なくとも１つのロールを格納するための手段をさらに含む、請求項２乃至７のうちのいずれか１項に記載の折畳みモジュール。
【請求項９】
当該折畳みモジュールは、請求項１に記載の印刷システムの受取媒体の少なくとも１つのロールを格納するための媒体格納モジュールと実質的に同じ外形寸法を有する、請求項２乃至８のうちのいずれか１項に記載の折畳みモジュール。
【請求項１０】
請求項１に記載の印刷システムと、請求項２乃至９のうちのいずれか１項に記載の折畳みモジュールとの組み合わせ。
【請求項１１】
印刷システムを変更する方法であって、
印刷システムから受取媒体の少なくとも１つのロールを格納し得る媒体格納モジュールを取り外し、それによって、空所を創成するステップと、折畳みモジュールを前記空所内に挿入するステップとを含む、
方法。
【請求項１２】
前記媒体格納モジュール及び前記折畳みモジュールは、収容手段を用いて前記印刷システムに取り外し可能に接続可能である、請求項１１に記載の印刷システムを変更する方法。
【発明の詳細な説明】
【技術分野】
【０００１】
本発明は、印刷システム(printing system)と、処理済み受取媒体を折り畳むための折畳みモジュール(folding module)とに関する。本発明は、印刷システムと折畳みモジュールとの組み合わせや、印刷システムを変更する方法にも関する。
【背景技術】
【０００２】
折畳みシステムに直列結合される印刷システムは既知である。この種類のシステムでは、印刷システムは、マーキング材料を受取媒体(receiving media)の一部の上に塗布し、印刷システムの出力部を介して処理済み媒体を折畳みシステムの入力部に向かって出力する。普通、折畳みシステムは、大きい実質的に平坦なテーブルを含み、テーブルは、処理済み媒体を支持し、且つ、折畳みプログラムを決定する１つ又はそれよりも多くの整列動作及び測定動作を適用する。テーブルは、正しい整列を保証するために使用される。この種類の折畳みシステムが、印刷システムによって占められるフロア地域に加えて、大きいフロア地域を占めることが、この種類の折畳みシステムの不利点である。
【発明の概要】
【発明が解決しようとする課題】
【０００３】
印刷システム及び折畳みシステムの組み合わせのために必要とされるフロア空間の減少を可能にする折畳みシステムを提供することが本発明の目的である。この目的を達成するために、請求項１に従った印刷システムが提供され、さらに、処理済み受取媒体を折り畳むためのシステムが請求項２に従って提供される。
【課題を解決するための手段】
【０００４】
印刷システム内の空所内に折畳みモジュールを配置することによって、折畳み手段の協働手段は、印刷システムの収容手段と係合し、収容手段は、印刷ステーションの方向にフットプリント地域から垂直に延びる仮想容積内に位置付けられ、折畳みモジュールは、追加的なフットプリント空間を必要としない。
【０００５】
印刷システムのフットプリントは、支持表面上の媒体格納モジュール及び印刷ステーションの累積標準投影によって定められる地域である。この地域は媒体格納モジュール及び印刷ステーションのフットプリントと一般的に呼ばれる。フットプリント地域は、印刷ステーションの支持表面上の仮想垂直投影に加えられる、媒体格納モジュールの支持表面上の仮想垂直投影の地域（面積）である。フットプリント地域の決定のために、支持表面は、ベース部材が物理的な支持表面上で支持される地点によって測られる数学的平面として表される。
【０００６】
本発明に従った折畳みモジュールの実施態様において、折畳みモジュールは、本発明に従った印刷システムの収容手段と協働するために折畳みモジュールの円周に位置付けられる協働手段を含み、さらに、処理済み受取媒体を折り畳むための折畳み手段を含む。協働手段は折畳みモジュールが印刷システム内に配置されることを可能にする。この配置は一時的特徴又は恒久的特徴を有し得る。操作者が、ホルダを含むモジュールによって、或いは、ホルダ及び受取媒体の追加的ロールを含むモジュールによって、例えば、紙のような受取媒体のロールを含むモジュールを置換し得る。
【０００７】
さらなる実施態様において、折畳みモジュールは、媒体を折畳み手段内に送るための媒体送り手段を含む。媒体送り手段は、折畳み動作が処理済み受取媒体上で実行され得るよう、処理済み媒体が折畳み手段内に輸送されることを可能にする。
【０００８】
さらなる実施態様において、折畳みモジュールは、媒体送り手段を含み、媒体送り手段は、動作状態において媒体歪みを矯正し得る。一般的には、直列又はオフライン折畳みシステムは、折畳み前に如何なる歪みをも測定し且つ矯正するために、折り畳まれるべき受取媒体を測定する大きい入力テーブルを必要とする。そのような大きい入力テーブルは、システムのフットプリントを有意に増大する。この媒体歪み矯正は、処理済み受取媒体が折畳み手段に送られる前に歪み矯正が行われるよう、媒体送り手段を媒体輸送方向に対して反対方向に駆動することによって実施され得る。それによって、歪み矯正手段は、システムのフットプリント地域を増大しないと同時に、歪み矯正品質を維持する。
【０００９】
本発明に従った折畳みモジュールの実施態様において、折畳み手段は、回転可能な折畳みシリンダと、第一及び第二の折畳みピンチをそれぞれ形成するよう折畳みシリンダと各々係合し得る、第一及び第二の回転可能な押圧部材と、媒体を第一及び第二の折畳みピンチの間で折畳みシリンダに向かって送るための媒体送り手段とを含み、駆動手段を制御可能に駆動し、折畳みプログラム中に動作状態にある回転可能な折畳みシリンダの回転方向を変更し、且つ、折畳みプログラム中に折畳みシリンダに向かって媒体を送るために媒体送り手段を制御可能に駆動し得る制御手段をさらに含む。
【００１０】
処理済み受取媒体を折り畳むこのプロセスは、折畳み操作が比較的コンパクトな折畳みシステムによって実施されることを可能にする。折畳みシステムのコンパクトさは、この折畳みプロセスが受取材料のロールを格納するために必要とされる容積と等しい容積内で実施されることを可能にする。従って、処理済み受取媒体を折り畳むこの方法は、本発明に従った折畳みモジュールを実施するのに極めて適している。
【００１１】
さらなる実施態様において、媒体送り手段は、折畳みシリンダに近接近して位置付けられる。媒体送り手段を折畳みシリンダに近接近して配置することによって、システムのフットプリントは増大されず、利用可能な空間は折り畳まれるべきより大きいパッケージを収容するために最適に使用される。
【００１２】
実施態様において、折畳みモジュールは、さらに、折り畳まれた処理済み媒体を排出するための出力手段を含む。これらの排出手段は、操作者が折畳み済みパッケージを取り出す到達可能な場所に折畳み済みパッケージを輸送するための輸送ピンチを含み得る。これは折畳み操作が必要とされないときにシートが送られる場所と同じ場所であり得る。
【００１３】
実施態様において、折畳みモジュールは、さらに、受取媒体の少なくとも１つのロールを格納するための手段を含む。具体的には、もし折畳みモジュールが受取媒体のロールを格納するためのモジュールと置換するならば、折畳み手段が完全に利用可能な容積を覆わないならば受取媒体の追加的ロールを収容することは極めて有利である。
【００１４】
他の実施態様において、折畳みモジュールは、印刷システムの受取媒体の少なくとも１つのロールを格納するための媒体格納モジュールと実質的に同じ外形寸法を有する。これは本発明に従った折畳みモジュールとロール格納モジュールとの間の交換可能性を可能にする。そのような折畳みモジュールを実施することによって、システムのフットプリントは増大されないと同時に、折畳み機能性が追加される。
【００１５】
他の特徴において、本発明は、請求項１に従った印刷システムと請求項２乃至９のいずれか１項に従った折畳みモジュールとの組み合わせに関する。そのような組み合わせは、印刷システムに折畳み機能性を追加し、そのようなシステムの所要フロア空間を増大しない。具体的には、フロア空間が少ない用途では、そのような組み合わせは尊重される。
【００１６】
他の特徴において、本発明は、印刷システムから受取媒体の少なくとも１つのロールを格納し得る媒体格納モジュールを取り外し、それによって、空所を創成するステップと、折畳みモジュールを空所内に挿入するステップとを含む、印刷システムを変更する方法に関する。
【００１７】
そのような変更は、印刷システムに折畳み機能性を加え、そのようなシステムの所要フロア空間を増大しない。具体的には、フロア空間が少ない用途において、そのような組み合わせは尊重される。折畳みモジュールを操作するために必要とされるあらゆる電気信号が、折畳みモジュールの配置後に据え付けられるべきであることは、当業者に明らかであろう。
【００１８】
本法のさらなる実施態様において、媒体格納モジュール及び折畳みモジュールは、収容手段を用いて印刷システムに取り外し可能に接続可能である。これは折畳みモジュール、例えば、１つ又はそれよりも多くの受取媒体のロールを含むモジュールの交換可能性を可能にする。そのような構成可能なシステムは、選択されるべき有意な機能性を追加しながら、操作者は、所要であれば、より多くのロールを格納するために格納能力を選ぶよう依然として選択し得る。
【００１９】
以下、非限定的な実施態様を示す付属図面を参照して本発明をさらに解明する。
【図面の簡単な説明】
【００２０】
【図１】印刷システムの実施態様を示す概略図である。
【図２Ａ】そのような印刷システムの詳細を示す概略図である。
【図２Ｂ】折畳みモジュールの実施態様を示す概略図である。
【図３】折畳みモジュールの実施態様を含む印刷システムの実施態様を概略的に示す側面図である。
【図４】折畳みモジュールの実施態様を含む印刷システムの実施態様を概略的に示す側面図である。
【図５】折畳みモジュールの実施態様を含む印刷システムの実施態様を概略的に示す側面図である。
【図６】折畳みモジュールの実施態様を含む印刷システムの実施態様を概略的に示す側面図である。
【図７Ａ】折畳みモジュールの実施態様を概略的に示す側面図である。
【図７Ｂ】折畳みモジュールの実施態様を概略的に示す側面図である。
【図７Ｃ】折畳みモジュールの実施態様を概略的に示す側面図である。
【図７Ｄ】折畳みモジュールの実施態様を概略的に示す側面図である。
【発明を実施するための形態】
【００２１】
図１は、本発明に従った印刷システム１の実施態様の概略図を示している。印刷システム１は、媒体格納モジュール１０を含む。媒体格納モジュール１０は、受取媒体の２つのロール、このシステムにおいては、大判紙の２つのロール（図示せず）を格納する能力を有する。紙のロールは、例えば、ロールが取り付けられる心棒を駆動することによって、或いは、媒体輸送ピンチによって媒体を引き出すことによって、紙が処理されるよう引き出され得るように、媒体格納モジュール１０内に取り付けられる。
【００２２】
受取媒体２１は、媒体格納モジュール１０の出口１５を介して媒体格納モジュール１０から送り出される。受取媒体２１は、印刷ステーション３０の入口１６を介して印刷ステーション３０内に送り込まれる。印刷ステーション３０内では、幾つかの媒体輸送ピンチ（図示せず）が受取媒体２１を画像化手段に向かって送る。画像化手段は、キャリッジ２１の上に取り付けられる印刷ヘッド３２を含む。印刷ヘッド３２は、印刷ヘッド３２が媒体輸送の方向に対して垂直な方向に走査動作を行い得るように、駆動可能に取り付けられている。印刷ヘッド３２は、複数のノズル（図示せず）と、ノズルを通じてマーキング材料を受取媒体２１に画像状に塗布するための手段とを含む。
【００２３】
処理済み受取媒体１１は、媒体輸送ピンチ（図示せず）を用いて印刷ステーション３０の出口１７に向かって送られる。印刷システム１は、さらに、処理済み受取媒体１１の所要長さ寸法で処理済み受取媒体１１を切断し、それによって、媒体格納モジュール１０内のロール上の受取媒体１１の伸び（ストレッチ）から処理済み受取媒体１１を分離するための切断手段（図示せず）を含む。切断された処理済み受取媒体１１は、受取ステーション１２内で受け取られる。この受取ステーション１２は、ベース部材１３の脚部の間に取り付けられ、ワイヤフレーム構造滑動部として実施されている。ベース部材１３は、支持表面１９の上で印刷システム１を支持する。破線区画によって境界付けられた地域１４は、支持表面１９上の媒体格納モジュール１０及び印刷ステーション３０の累積標準投影図法を表している。この地域１４は、媒体格納モジュール１０及び印刷ステーション３０のフットプリントと一般的に呼ばれる。フットプリント地域１４は、印刷ステーション３０の支持表面１９上の仮想垂直投影に加えられる媒体格納モジュール１０の支持表面１９上の仮想垂直投影の地域（面積）である。フットプリント地域１４の決定のために、支持表面１９は、ベース部材１３が物理的な支持表面１９上に支持される地点によって測られる数学的平面として表される。
【００２４】
印刷システム１は、折畳みシステム及び／又はさらなる媒体格納モジュールを受け取るのに適した空所として描写された、さらなるモジュールを含む。このさらなるモジュール２０は、折畳みシステムを受容するための収容手段を含む。収容手段は、印刷ステーション３０の方向にフットプリント地域１４から垂直に延びる仮想容積内に位置付けられる。
【００２５】
図２Ａは、図１に描写されるような印刷システム１の詳細を概略的に示している。空所２０は、収容手段４１及び４２を含む。この実施態様において、収容手段４１及び４２は、引き出しレールとして実施されている。この収容手段４１及び４２は、図２Ｂに概略的に示されるように、折畳みステーション５０の協働手段５１及び５２と協働するよう適合されている。協働手段５１及び５２及び／又は収容手段４１及び４２は、印刷システム１内への折畳みモジュール５０の導入の間の折畳みモジュール５０の相対的な動作を向上する転動手段（図示せず）を含む。
【００２６】
図３は、本発明に従った折畳みモジュール５０の実施態様を組み込んだ印刷システム１の実施態様の概略的な側面図を示している。媒体格納モジュール１０は、受取媒体７１の第一ロールと、受取材料７２の第二ロールとを含み、第一ロールの前縁は、媒体輸送ピンチ３３内に送り込まれており、第二ロールは、印刷ステーション３０内に目下送り込まれていないが、その前縁は、例えば、ロール７１が空であるときに印刷ステーション内に送り込まれ得るよう係合されている。ロール７１及びロール７２は、同じ或いは異なる種類の受取材料を含み得る。種類は、例えば、それらの幅、ロール長、又は、受取材料の表面種類（艶あり、艶消し）において異なり得る。
【００２７】
受取材料のストレッチは、媒体格納モジュール１０の出口１５を介して、印刷ステーション３０の入口を通じて送られる。実際には、印刷システムは、紙経路の長さに亘って幾つかの輸送ピンチを含むが、全ては示されていない。
【００２８】
受取材料２１は、印刷ヘッド３２の下で、切断手段３５に向かって送られる。切断手段は、印刷場所の下流に位置付けられるが、切断手段が、印刷ヘッド３２の上流のようなシステム内の他の場所に、或いは、媒体格納モジュール１０の内部にさえも位置付けられ得ることは明らかである。
【００２９】
処理済み受取媒体は、輸送ピンチ７によって、出口１７を介して、印刷ステーションの外部に送られる。処理済み受取材料は、受取ステーション１２又は折畳みモジュール５０のいずれかによって選択可能に受け取られる。選択は、折畳みモジュール５０の入口６１付近の弁６５によって実施される。図３に例証されるように弁６５をその開放位置に駆動することによって、処理済み受取材料は、折畳みモジュール５０内に案内され、処理済み受取材料は、折畳みモジュールでさらなる輸送ピンチ（図示せず）によって受け取られ、さらなる輸送ピンチは、処理済み受取媒体が折畳み手段７５内に送り込まれることを可能にする。もし弁６５がその閉塞場所に駆動されるならば、処理済み受取媒体は、受取ステーション１２上に案内され、処理済み受取媒体は、受取ステーションで使用者到達可能配送位置に向かって摺動し、処理済み受取媒体は、使用者到達可能配送位置で操作者によって取り出され得る。
【００３０】
折畳みモジュール５０は、折畳み動作を実行するための折畳み手段７５と、折り畳まれたパッケージを受取ステーション１２上に解放するための出口７９とを含む。折畳みモジュール５０は、さらに、受取媒体の追加的ロール７３を含み、追加的ロールは、媒体輸送手段（図示せず）によって、印刷ステーション３０内に送り込まれ得る。ここで、折畳みモジュール５０は、図２Ｂに描写されるように、ケーシング内に完全に収容される。
【００３１】
図４は、図３に描写されるような印刷システムと類似する折畳みモジュールの実施態様を組み込んだ印刷システムの実施態様の概略的な側面図を示している。この実施態様は、印刷ステーション３０の上に上方受取ステーション１２を含む。処理済み受取媒体は、案内手段８１によって、折畳みモジュール５０に向かって或いは上方受取ステーション１２に向かって選択可能に送られる。（破線によって表示される）第一状態において案内手段８１を動作することによって、処理済み受取媒体は、輸送及び案内手段８５のさらなる案内の下で、折畳みモジュール５０に向かって案内される。折畳み手段７５は、処理済み受取媒体の前縁を受け取り、所要折畳み構成に従って処理済み受取媒体を折り畳む折畳みプログラムを実行する。この実施態様では、輸送経路が折畳みモジュール５０から上方受取ステーション１２に形成されるよう、折畳み済みパッケージは、案内手段８１を動作することによって、輸送及び案内手段８５によって定められる輸送経路内に戻され、上方受取ステーション１２上に送られる。代替的に、折畳みモジュール５０は、例えば、折畳みモジュール５０の下に、折畳み済みパッケージを解放するための追加的な出口を含み得る。
【００３２】
図５は、図３に描写されたような印刷システムと類似する折畳みモジュールの実施態様を組み込んだ印刷システムの実施態様の概略的な側面図を示している。ここで、折畳みモジュール５０は、底部受取ステーション１２に向かって折畳みモジュール５０の外側に部分的に延びる折畳み手段７５を含む。モジュール性のために、この実施態様は、折畳みモジュールを収容するための収容手段を含む空所内に折畳みモジュール５０を配置した後、完全な折畳み手段７５が回転されてここに描写されるような位置に至るよう、折畳み手段７５を回転可能に取り付けるための手段を含む。
【００３３】
図６は、図３に描写されるような印刷システムに類似する折畳みモジュールの実施態様を組み込んだ印刷システムの実施態様の概略的な側面図を示している。この実施態様は、折畳みモジュール５０を含み、折畳みモジュール５０は、処理済み受取材料を折畳み手段又は受取ステーション１２内に選択可能に案内するための選択的に動作可能な弁６５を含む。この実施態様は、折畳み手段を含み、折畳み手段は、中央折畳み手段がより少ない高さを取るが、折り畳まれるべき長いパッケージのために同じ空間を提供するように、長さ方向に伸長されている。折畳み手段の内側の媒体輸送経路は、２つの類似のロールを実施することによって形成され、それらの周りにはベルトを備える。輸送経路の外側境界は、板として実施されている。代替的に、この板は、追加的なベルトのような如何なる他の媒体保持手段であってもよい。折畳み済みパッケージは、折畳み出口７９を通じてシステム１の前方に解放される。この折畳み出口７９は、媒体の別個のシートを折り畳み手段に案内するための別個の代替的な入口としても使用され得る。このようにして、折畳みモジュールは、入口６１を介した直列ホルダとして並びに操作者が入口７９を介してホルダ内にシートを手動で送るオフラインホルダとして使用され得る。
【００３４】
折畳みモジュールは、図２Ａに描写されるような空所２０内に配置されるのに適したモジュール内に適合するほど小さい如何なる折畳み手段をも含み得る。図７Ａ−７Ｄは、そのような限定的な空間内で実施されるのに適した折畳み手段の幾つかの十分に実用的な実施例を例証している。
【００３５】
図７Ａは、処理済み受取媒体を折畳み手段７５及び前方供給ステーション１０１内に案内するための選択的に動作可能な弁６５を含む折畳みモジュールを示している。図７Ｂは、さらに、受取媒体の追加的ロール７３を含み、底部出口７９を有する。図７Ａ及び７Ｂに描写される実施態様では、折畳み手段は、送りユニット１１０と、この実施態様では円筒形ドラム１１２として構成されている折畳み基板と、ドラム１１２の周辺平面で送りユニット１１０に対して対称に配置される一対のピンチ及び案内構造（図示せず）とを含む。排出ユニット１１６が、送りユニット１１０に対角的に対向する位置に配置されている。
【００３６】
送りユニット１１０は、ドラム１１２の周辺表面上に垂直に下向きに処理済み受取媒体のシート（図示せず）のために配置される案内通路１１８を含む。一対の送りローラ１２０が、供給通路１１８内にニップを形成している。ドラム１１２２へのシートの供給を制御するために、送りローラ１２０の少なくとも１つが駆動される。
【００３７】
２つの偏向指部１２２及び１２４が、送りユニット１１０とドラム１１２の表面との間の移行地点でシートを偏向するために、送りユニット１１２の下流端部に配置されている。偏向指部１２２，１２４は、それらが選択的に動作位置に導かれ得るよう、図示されていない設定機構を用いて調節可能である。図７Ａに示される実施例では、偏向指部１２４は動作位置にある。
【００３８】
各ピンチ及び案内構造は、ピンチローラ１２６と、無端ベルト（図示せず）又はむしろピンチローラ及び２つの偏向ローラ（図示せず）の周りに向けられる幾つかの平行なベルトの配列とを含む。ピンチローラ１２６及び偏向ローラは、ベルトの一部がドラム１１２の周辺表面と噛み合い係合して保持されるように配置される。図示される実施例では、その部分は、送りユニット１１０から排出ユニット１１６に殆ど１８０°の角度に亘って延びる。ベルトは弾性的であり得るし、或いは、偏向ローラの１つ、例えば、ローラは、ベルトを適切な張力の下に保持するように弾性的に支持され得るので、その部分はドラム１１２の表面に対して適切に押し付けられる。
【００３９】
ドラム１１２は、その中心軸について何れの方向にも回転可能であるように駆動機構（図示せず）に接続される。ベルト及びピンチローラ及び偏向ローラは、ドラム１１２の周辺表面との摩擦接触を通じて駆動され得る。しかしながら、好ましくは、各ピンチ及び案内構造のピンチローラ１２６及び偏向ローラの一方は、駆動機構（図示せず）を用いて積極的に駆動される。
【００４０】
排出ユニット１１６は、排出ゲート１３４を含み、排出ゲート１３４は、２つの偏向ローラの間に配置され、且つ、軸１３６について旋回可能である。さらに、一対の排出ローラ１３８が、偏向ローラの下に輸送ニップを形成する。
【００４１】
図７Ｃは、処理済み受取媒体を折畳み手段７５及前方供給ステーション１０１内に案内するための選択的に動作可能な弁６５を含む。図７Ｄは、さらに、受取媒体の追加的なロール７３を含み、底部出口７９を有する。図７Ｃ及び７Ｄに描写される実施態様では、折畳み手段が示され、折畳み基板は、２つの別個のより小さいドラム１１２によって形成され、ドラムは平行に配置され、且つ、固定ガイド１６０によって接続され、固定ガイド１６０は、ベルト１２８と共に、シートのための閉塞循環経路を定める。ここで、ベルト１２８は、ガイド１６０に沿って走る直線部分を有し、これらのガイドを圧迫せず或いはそれらを適度にのみ圧迫するので、シート又はシート部分は、ガイド１６０に沿って通るときに、如何なる実質的な摩擦又は剪断疲労も受けない。
【図１】
2010540376.tif 000003
【図２Ａ】
2010540376.tif 000004
【図２Ｂ】
2010540376.tif 000005
【図３】
2010540376.tif 000006
【図４】
2010540376.tif 000007
【図５】
2010540376.tif 000008
【図６】
2010540376.tif 000009
【図７Ａ】
2010540376.tif 000010
【図７Ｂ】
2010540376.tif 000011
【図７Ｃ】
2010540376.tif 000012
【図７Ｄ】
2010540376.tif 000013
【国際調査報告】
2010540376.tif 000014
2010540376.tif 000015
2010540376.tif 000016